【手続補正書】
【提出日】令和3年10月13日(2021.10.13)
【手続補正１】
【補正対象書類名】特許請求の範囲
【補正対象項目名】全文
【補正方法】変更
【補正の内容】
【特許請求の範囲】
【請求項１】
筐体と、前記筐体内に配置されるボビンと、前記ボビン周りに延びるコイルを有し、前記筐体は第一筐体端部と第二筐体端部の間を長手方向に延出し、前記ボビンには長手軸に沿って延びるソレノイド孔が形成されるソレノイドと、
前記第一筐体端部から長手方向に延出し、バルブ本体孔が形成されるバルブ本体と、
前記バルブ本体孔内に配置される少なくとも一つのシート部材と、
前記ソレノイド孔内に摺動可能に配置される頭部と、前記バルブ本体孔内に摺動可能に配置されるバルブ部を有するバルブ部材であって、前記バルブ部材の前記バルブ部は、シート係合部材を有し、前記シート係合部材は、外側に延出して、前記バルブ部材が前記ソレノイド孔及び前記バルブ本体孔内で前記シート係合部材が前記第一筐体端部から離れる方向に変位した第一位置と前記シート係合部材が前記第一筐体端部に向かって変位した第二位置の間を摺動すると、前記シート部材と係合し、前記バルブ本体は、ポート面と、前記バルブ部材が前記第一及び前記第二位置の間を長手方向に並進すると、前記バルブ本体の前記ポート面における一つ以上の孔を開閉するように動作する前記シート係合部材とを有する、バルブ部材と、
前記バルブ部材に対し、前記バルブ部材を前記第一位置に向かって付勢する付勢力を加えるように動作する付勢部品と、
少なくとも部分的に前記ソレノイド孔内に配置され、動作時に前記バルブ部材に吸引力を加え、この吸引力が前記付勢部品の前記付勢力と対向するように前記第二筐体端部の方を向いている永久磁石と、
前記ソレノイド孔内に設けられ、長手方向に見て前記永久磁石と前記バルブ部材の前記頭部の間に配置される磁極片と、
前記コイルに電気的に接続され、前記コイルに電流のパルスを送信するようにプログラムされた制御回路と、
を有し、
前記永久磁石は、電流の前記パルスに反応する磁場をもたらす保磁力を有する材料で形成され、当該電流の前記パルスは、前記コイルを介して送信され前記永久磁石の可変な前記吸引力の大きさを変更し、前記永久磁石の前記吸引力は動作時、前記可変な吸引力の大きさが前記付勢部品の前記付勢力より大きい場合、前記バルブ部材を前記第二位置の方に引き寄せ、前記付勢部品の前記付勢力は動作時、前記可変な吸引力の大きさが前記付勢部品の前記付勢力より小さい場合、前記バルブ部材を前記第一位置に向かって押す、ことを特徴とするラッチ式制御バルブアセンブリ。
【請求項２】
請求項１に記載のラッチ式制御バルブアセンブリにおいて、前記磁極片は前記ボビンに螺合して配置されることにより、前記バルブ部材の前記頭部に対し前記磁極片を長手方向に調整可能に位置決めすることを特徴とするラッチ式制御バルブアセンブリ。
【請求項３】
請求項２に記載のラッチ式制御バルブアセンブリにおいて、
前記永久磁石は内向端と外向端の間で長手方向に延び、
前記磁極片は、前記バルブ部材の前記頭部と対向する第一端部と前記永久磁石の内向端に当接する第二端部の間を長手方向に延び、
前記バルブ部材が前記第一位置にある時、前記バルブ部材の前記頭部と前記磁極片の前記第一端部は間隔を介して互いに長手方向に離間し、
前記バルブ部材が前記第二位置にある時、前記間隔がなくなるように前記バルブ部材の前記頭部は前記磁極片の前記第一端部に当接することを特徴とするラッチ式制御バルブアセンブリ。
【請求項４】
請求項３に記載のラッチ式制御バルブアセンブリにおいて、
前記ボビンは前記ソレノイド孔を形成する内面を有し、
前記ボビンの前記内面には雌ねじが切られ、
前記バルブ部材が前記第一位置にある時、前記磁極片が前記ソレノイド孔内を相対回転すると前記磁極片が長手方向に変位し、前記バルブ部材の前記頭部と前記磁極片の前記第一端部の間の前記間隔が変化するように、前記磁極片には、前記第一端部に隣接して、前記ボビンの前記雌ねじと螺合する雄ねじが切られていることを特徴とするラッチ式制御バルブアセンブリ。
【請求項５】
請求項４に記載のラッチ式制御バルブアセンブリにおいて、前記磁極片の前記第二端部はツール係合接触面を有することを特徴とするラッチ式制御バルブアセンブリ。
【請求項６】
請求項１に記載のラッチ式制御バルブアセンブリにおいて、
前記コイルに電気的に接続される少なくとも二つの電気コネクタと、
前記制御回路を前記電気コネクタに電気的に接続する第一及び第二リード線と、をさらに有することを特徴とするラッチ式制御バルブアセンブリ。
【請求項７】
請求項６に記載のラッチ式制御バルブアセンブリにおいて、前記永久磁石は内向端と外向端の間を長手方向に延び、前記内向端にＳ極を有し、前記外向端にＮ極を有することを特徴とするラッチ式制御バルブアセンブリ。
【請求項８】
請求項７に記載のラッチ式制御バルブアセンブリにおいて、前記第二筐体端部側で前記長手軸に沿って規定されるポイントから前記ボビンを見た時、前記コイルの巻線は前記ボビンに時計回りに巻きつけられることを特徴とするラッチ式制御バルブアセンブリ。
【請求項９】
請求項８に記載のラッチ式制御バルブアセンブリにおいて、
前記永久磁石の前記可変な吸引力の大きさは、前記制御回路が電流の正電圧パルスを前記第一リード線に供給することで増加し、
前記永久磁石の前記可変な吸引力の大きさは、前記制御回路が電流の正電圧パルスを前記第二リード線に供給することで減少することを特徴とするラッチ式制御バルブアセンブリ。
【請求項１０】
請求項９に記載のラッチ式制御バルブアセンブリにおいて、前記永久磁石の前記可変な吸引力の大きさは、前記コイルに電流が供給されていない時は一定に維持されることを特徴とするラッチ式制御バルブアセンブリ。
【請求項１１】
請求項１に記載のラッチ式制御バルブアセンブリにおいて、前記バルブ本体は、前記第一筐体端部に隣接する基端と前記第一筐体端部から離間した先端の間を延出することを特徴とするラッチ式制御バルブアセンブリ。
【請求項１２】
請求項１１に記載のラッチ式制御バルブアセンブリにおいて、
前記バルブ本体は、前記バルブ本体孔から前記バルブ本体の前記先端に隣接する前記ポート面まで前記バルブ本体を貫通する第一ポートと、前記バルブ本体孔から前記ポート面まで前記バルブ本体を貫通する第二ポートと、前記バルブ本体孔から前記バルブ本体の前記基端に隣接する前記ポート面まで前記バルブ本体を貫通する第三ポートとを有し、
前記第二ポートは長手方向に見て前記第一ポートと前記第三ポートの間に配置されることを特徴とするラッチ式制御バルブアセンブリ。
【請求項１３】
請求項１２に記載のラッチ式制御バルブアセンブリにおいて、
前記第一ポート及び前記第三ポートは前記シート係合部材の両側に配置され、
前記バルブ部材が前記第一位置にある時、前記シート係合部材は前記シート部材に接触してシールし、前記第一ポートを閉じると共に前記第三ポートを開き、
前記バルブ部材が前記第二位置にある時、前記シート係合部材は前記シート部材に接触してシールし、前記第一ポートを開くと共に前記第三ポートを閉じることを特徴とするラッチ式制御バルブアセンブリ。
【請求項１４】
請求項１２に記載のラッチ式制御バルブアセンブリにおいて、前記バルブ本体の前記ポート面は、前記第一ポートが流入ポートとして、前記第二ポートが流出ポートとして、前記第三ポートが排出ポートとして機能するように、バルブマニフォールドのキャビティに収容されることを特徴とするラッチ式制御バルブアセンブリ。
【請求項１５】
請求項１１に記載のラッチ式制御バルブアセンブリにおいて、前記バルブ部材の前記バルブ部は、前記バルブ本体の前記先端に隣接する第一ピストンと、前記バルブ本体の前記基端に隣接する第二ピストンを有し、前記第一及び第二ピストンは前記バルブ本体孔をシール可能に動作することを特徴とするラッチ式制御バルブアセンブリ。
【請求項１６】
請求項１５に記載のラッチ式制御バルブアセンブリにおいて、前記第一及び第二ピストン及び前記シート部材に対して逆向きに作用する加圧流体によって均衡のとれた圧力が前記バルブ部材に作用するように、前記第一及び第二ピストン及び前記シート部材は略同径であることを特徴とするラッチ式制御バルブアセンブリ。
【請求項１７】
請求項１５に記載のラッチ式制御バルブアセンブリにおいて、
前記筐体内に設けられ、フランジ部と、前記ソレノイド孔内に延び、径方向に見て前記バルブ部材の前記頭部と前記ボビンの間に配置される首部とを有するブッシュをさらに有し、
前記付勢部品は長手方向に見て、前記バルブ部材の前記第二ピストンと前記ブッシュの前記フランジの間に配置されることを特徴とするラッチ式制御バルブアセンブリ。
【請求項１８】
請求項１に記載のラッチ式制御バルブアセンブリにおいて、
前記ボビンは前記ソレノイド孔を形成する内面を有し、
前記バルブ部材の前記頭部は円筒形であり、前記バルブ部材の前記頭部は前記ボビンの前記内面にスリップフィットするように配置され、
前記付勢部品は前記バルブ部材の前記頭部周りにらせん状に延びる圧縮ばねであることを特徴とするラッチ式制御バルブアセンブリ。
【請求項１９】
請求項１に記載のラッチ式制御バルブアセンブリにおいて、前記バルブ部材は、前記バルブ部材の前記頭部と前記バルブ部が一体とされた一体成形部品であることを特徴とするラッチ式制御バルブアセンブリ。
【請求項２０】
請求項１に記載のラッチ式制御バルブアセンブリにおいて、前記永久磁石はネオジムから形成されることを特徴とするラッチ式制御バルブアセンブリ。